(57)【要約】【課題】追加的なオーバーヘッドを必要とせずに複数の異なる特性指標を提供することである。【解決手段】第１の通信装置とそれと通信する複数の第２の通信装置とを含む無線通信ネットワークにおける、第２の通信装置に複数の異なる特性指標を要求する方法であって、第１の通信装置が少なくとも２つのインターリーブパターンを規定する単一命令を第２の通信装置に送信する段階であって、各インターリーブパターンは２つ以上の特性指標を指定し、第２の通信装置に割り当てられた単一フィードバックチャネルにおいて指定された特性指標をインターリーブするパターンを規定し、単一命令は、さらに、第１の通信装置から第２の通信装置に送信される選択信号であって第２の通信装置がインターリーブパターンのうちの１つを選択する選択信号を規定する段階を含む。【選択図】図９
2010045787.tif 000002
【特許請求の範囲】
【請求項１】
第１の通信装置と該第１の通信装置と通信する複数の第２の通信装置とを含む無線通信ネットワークにおける、第２の通信装置に複数の異なる特性指標を要求する方法であって、該方法は、
前記第１の通信装置が少なくとも２つのインターリーブパターンを規定する単一命令を前記第２の通信装置に送信する段階であって、各インターリーブパターンは２つ以上の特性指標を指定し、前記第２の通信装置に割り当てられた単一フィードバックチャネルにおいて前記指定された特性指標をインターリーブするパターンを規定し、前記単一命令は、さらに、前記第１の通信装置から前記第２の通信装置に送信される選択信号であって前記第２の通信装置が前記インターリーブパターンのうちの１つを選択する選択信号を規定する段階を含む方法。
【請求項２】
第１の通信装置と該第１の通信装置と通信する複数の第２の通信装置とを含む無線通信ネットワークにおける、第２の通信装置から第１の通信装置に複数の異なる特性指標を送信する方法であって、該方法は、
前記第２の通信装置が少なくとも２つのインターリーブパターンを規定する単一命令を前記第１の通信装置から受信する段階であって、各インターリーブパターンは２つ以上の特性指標を指定し、前記第２の通信装置に割り当てられた単一フィードバックチャネルにおいて前記指定された特性指標をインターリーブするパターンを規定し、前記単一命令は、さらに、前記第１の通信装置から前記第２の通信装置に送信される選択信号であって前記第２の通信装置が前記インターリーブパターンのうちの１つを選択する選択信号を規定する段階と、
前記第２の通信装置が前記単一命令に応じて特性指標を前記第１の通信装置に送信する段階とを含む方法。
【請求項３】
第１の通信装置と該第１の通信装置と通信する複数の第２の通信装置とを含む無線通信ネットワークにおける、第２の通信装置から第１の通信装置に複数の異なる特性指標を供給する方法であって、該方法は、
前記第１の通信装置が少なくとも２つのインターリーブパターンを規定する単一命令を前記第２の通信装置に送信する段階であって、各インターリーブパターンは２つ以上の特性指標を指定し、前記第２の通信装置に割り当てられた単一フィードバックチャネルにおいて前記指定された特性指標をインターリーブするパターンを規定し、前記単一命令は、さらに、前記第１の通信装置から前記第２の通信装置に送信される選択信号であって前記第２の通信装置が前記インターリーブパターンのうちの１つを選択する選択信号を規定する段階と、
前記第２の通信装置が前記第１の通信装置から前記単一命令を受信する段階と、
前記第２の通信装置が前記単一命令に応じて特性指標を前記第１の通信装置に送信する段階とを含む方法。
【請求項４】
前記単一命令は第１のインターリーブパターンと第２のインターリーブパターンとを規定し、
前記第１のインターリーブパターンはマスター特性指標として機能する一特性指標と、スレーブ特性指標として機能する一以上の別の特性指標とを指定し、前記第２の通信装置が前記単一フィードバックチャネルにおいて前記マスター特性指標と前記一以上のスレーブ特性指標とをインターリーブするパターンを規定し、
前記第２のインターリーブパターンは同一の特性指標を第１のインターリーブ構成として指定し、前記別の特性指標のうち１つをマスター指標として機能するものとし、残りの指定された特性指標をスレーブ特性指標として機能するものとし、前記第２の通信装置が前記単一フィードバックチャネルにおいて前記マスター特性指標と前記スレーブ特性指標とをインターリーブするパターンを規定する、請求項１ないし３いずれか一項に記載の方法。
【請求項５】
第１の通信装置と、該第１の通信装置と通信する複数の第２の通信装置とを含む無線通信ネットワークにおいて使用する前記第１の通信装置であって、前記第１の通信装置は、
前記第１の通信装置が少なくとも２つのインターリーブパターンを規定する単一命令を前記第２の通信装置に送信するように構成された送信回路であって、各インターリーブパターンは２つ以上の特性指標を指定し、前記第２の通信装置に割り当てられた単一フィードバックチャネルにおいて前記指定された特性指標をインターリーブするパターンを規定し、前記単一命令は、さらに、前記第１の通信装置から前記第２の通信装置に送信される選択信号であって前記第２の通信装置が前記インターリーブパターンのうちの１つを選択する選択信号を規定する送信回路を有する第１の通信装置。
【請求項６】
第１の通信装置と、該第１の通信装置と通信する複数の第２の通信装置とを含む無線通信ネットワークにおいて使用する第２の通信装置であって、前記第２の通信装置は、
前記第２の通信装置が少なくとも２つのインターリーブパターンを規定する単一命令を前記第１の通信装置から受信するように構成された受信回路であって、各インターリーブパターンは２つ以上の特性指標を指定し、前記第２の通信装置に割り当てられた単一フィードバックチャネルにおいて前記指定された特性指標をインターリーブするパターンを規定し、前記単一命令は、さらに、前記第１の通信装置から前記第２の通信装置に送信される選択信号であって前記第２の通信装置が前記インターリーブパターンのうちの１つを選択する選択信号を規定する受信回路と、
前記第２の通信装置が前記単一命令に応じて特性指標を前記第１の通信装置に送信するように構成された送信回路とを有する第２の通信装置。
【請求項７】
前記単一命令は第１のインターリーブパターンと第２のインターリーブパターンとを規定し、
前記第１のインターリーブパターンはマスター特性指標として機能する一特性指標と、スレーブ特性指標として機能する一以上の特性指標とを指定し、前記第２の通信装置が前記単一フィードバックチャネルにおいて前記マスター特性指標と前記一以上のスレーブ特性指標とをインターリーブするパターンを規定し、
前記第２のインターリーブパターンは同一の特性指標を第１のインターリーブ構成として指定し、前記別の特性指標のうち１つをマスター指標として機能するものとし、残りの指定された特性指標をスレーブ特性指標として機能するものとし、前記第２の通信装置が前記単一フィードバックチャネルにおいて前記マスター特性指標と前記スレーブ特性指標とをインターリーブするパターンを規定する、請求項５または６に記載の装置。
【発明の詳細な説明】
【技術分野】
【０００１】
本発明は無線通信システムに関する。
【背景技術】
【０００２】
ＩＥＥＥ８０２．１６ｅ−２００５等のＯＦＤＭＡベースの無線通信システムでは、図１に示したＴＤＤフレーム構成は２つのサブフレームを含んでいる。１つはダウンリンク用であり、もう１つはアップリンク用である。ＩＥＥＥ８０２．１６ｅ−２００５標準は２ｍｓから２０ｍｓにわたる可能な多くのフレーム長を規定している。しかし、現在のＷｉＭＡＸフォーラムプロファイル（リリース１．０）の規定によると、５ｍｓフレームのみを利用して、ＷｉＭＡＸフォーラムが認定した機器がすべて相互運用可能となるようにしている。現在の標準は、組み合わせると、システムスループットを改善し、ユーザが可能な限り最高の性能を経験できるようにする多くの機能を規定している。しかし、組み合わせを効率的に動作させるため、基地局（ＢＳ）は移動局（ＭＳ）が経験する伝搬チャネルを知っている必要がある。このため、ＢＳはＭＳに、図１のアップリンクサブフレームに示したＣＱＩＣＨ領域内にあるＣＱＩＣＨチャネルを割り当てる。ＭＳは割り当てられたこのＣＱＩＣＨチャネルを用いて、物理的ＳＩＮＲまたは有効ＳＩＮＲのいずれかＢＳにより指示される方を報告する。この場合、ＭＳは、物理的ＣＩＮＲまたは有効ＣＩＮＲに基づき、受信器の実際の動作状態に関する情報を提供する、干渉とノイズのレベルと信号強度とを含むチャネル品質測定値を計算する。この情報は割り当てられたＣＱＩフィードバックチャネル（ＣＱＩＣＨ）を介してＢＳにフィードバックされ、結果として、ＢＳはこの情報を用いて無線リソースを管理し、またはＭＳに対する基本的なリンク適応を行う。
【０００３】
（レガシーな）ＩＥＥＥ８０２．１６ｅ−２００５ＴＤＤフレーム構成を考慮して、最初のシンボルはプリアンブルで占められている。このプリアンブルは主に同期目的に利用されるが、ネットワークエントリーやハンドオーバーの手順でも送信器の識別手段としても利用される。プリアンブルに続く第２と第３のシンボルはＦＣＨである。ＦＣＨは周知のフォーマットを用いて送信され、それに続くＭＡＰメッセージ、すなわちＭＡＰメッセージ長、符号化方式、及びアクティブサブチャネルを復号するために十分な情報を提供する。ＦＣＨの次にＤＬ−ＭＡＰがあり、その次にＵＬ−ＭＡＰがある。これらのＭＡＰメッセージは、フレーム内のトラフィックチャネル及び制御チャネルに割り当てられたリソース（スロット）に関する情報を提供する。これらのＭＡＰにはＤＬ−ＭＡＰ＿ＩＥとＵＬ−ＭＡＰ＿ＩＥが含まれる。ＤＬ−ＭＡＰ＿ＩＥとＵＬ−ＭＡＰ＿ＩＥはフレーム内のバーストを示している（すなわち、各ＭＡＰ＿ＩＥはフレーム内の１つのバーストに関連している）。これらのＭＡＰ＿ＩＥ内の情報は、例えばサブチャネルオフセットやシンボルオフセットなどは、ＭＳがサブフレーム内でリソースを見つけるために用いるので不可欠なものである。ＣＱＩＣＨ領域のために、ＵＬサブフレーム内の位置をＭＳに通知するファーストフィードバックＩＥ（Fast  Feedback  IE）をＵＬ−ＭＡＰで送信する。ＣＱＩＣＨ領域は整数個のスロット（３つのＯＦＤＭＡシンボルごとに１つのサブチャネル）を有し、１つのスロットはＣＱＩＣＨチャネルとして利用できる。
【０００４】
ＩＥＥＥ８０２．１６ｍのＴＤＤ  ＯＦＤＭＡフレーム構成を図２に示した。これは無線フレームが８個のサブフレームよりなる点でレガシーフレームと異なることを示している。２０ｍｓは同じ大きさの４つの無線フレームよりなり、各無線フレームは８個のサブフレームを含み、各サブフレームはＤＬまたはＵＬのいずれかに割り当てられる。１つの無線フレーム内にスイッチングポイントを４つまで入れることができる。ＣＱＩＣＨフィードバックの場合には、ＣＱＩＣＨ  ＢＳ処理遅延が４サブフレームより小さければ、この特徴によりフィードバックレートを速くでき、モビリティの高いユーザに対して正確なリンク適合（link  adaptation）をサポートする能力を改善できる。
【０００５】
現在のＩＥＥＥ８０２．１６ｅ−２００５標準では、ＭＳは２つの同時ＣＱＩＣＨチャネルをサポートできる。この場合、１つのチャネルは主に物理的ＣＩＮＲの報告に用いられ、もう１つのチャネルは有効ＣＩＮＲ測定に用いられる。ＢＳは、ＭＳごとに２つのチャネルを用いる、システム性能を最大化する多数の機能、例えば適応ＭＩＭＯスイッチング、分散スイッチング（Distributed/Localized  switching）、ＦＦＲなどを利用して、可能な最良の物理レイヤー動作モードに適応し、無線リソースを効率的に管理することが望ましい。ＭＳの無線設定（radio  configuration）は時間的に変化するので、（物理レイヤーモード変化の結果として）データバーストを送信するデータゾーン／サブフレーム／モードが新しくなると、それに対して新しいチャネル推定報告が必要である。一解決策としてＭＳ毎の利用可能なＣＱＩＣＨチャネル数を増やしてもよいが、アップリンクキャパシティが減少し、それゆえデータ（raw  data）のためのアクセス可能リソースが減少するという代償を支払わねばならない。ＢＳは、各ＣＱＩＣＨチャネルにおいて、ＵＬ−ＭＡＰ中で送信される２つの独立なＣＱＩＣＨ＿Ａｌｌｏｃ＿ＩＥを介して、どのタイプの測定値を報告すべきか指示する。これらの情報要素がＭＳに送信されると、ＭＳはＣＱＩＣＨ＿ＩＤで示された指定チャネルで要求された測定値を定期的（ｘフレームごと）に報告する。
【０００６】
ＢＳはＭＳに、例えば、第１のＣＱＩＣＨチャネルでプリアンブルリユース−１の物理的ＣＩＮＲ測定を報告するように指示してもよい。この物理的ＣＩＮＲ測定値により、ＢＳはすべてのＭＳから、部分的周波数リユース（Fractional  Frequency  Reuse；ＦＦＲ）として知られる方法を実行する際にＢＳを支援する十分な情報を得ることができる。ＦＦＲでは、セル／セクターエッジ（cell/sector  edge）にいるユーザはすべてのサブチャネルのうちの一部を利用して動作し、一方、セルの内側のユーザはすべてのサブチャネルを利用して動作する。通常、セルエッジ（cell  edge）のユーザは周波数リユース＝３（Ｒ３と呼ぶ）で動作し、インナーセル（inner  cell）ユーザはＲ１で動作する。フレーム送信の面では、Ｒ３ユーザはフレーム内の別の時間スロット（ゾーンと呼ぶ）にグループ化され、この時間スロットはＲ１ゾーンとは時間的に分かれている。ＦＦＲの利益として、干渉源を物理的に隔離することにより、セルエッジのユーザによりよい信号品質を提供できる。信号品質が改善されることにより、セルエッジのユーザのスループットが高くなることも期待できる。しかし、これはリソースの利用可能性が低くなるという代償の結果得られるものである。
【０００７】
第２のＣＱＩＣＨチャネルにおいて、ＢＳはＭＳに、（データブロックまたはゾーン／サブフレーム／モードからのパイロットまたはデータサブキャリアに基づく）有効ＣＩＮＲ測定値の報告を指示してもよい。これはリンク適応（link  adaptation）の実行に用いられる。しかし、ＭＳの好ましいゾーン／サブフレーム／モードがＲ１からＲ３に、またはその逆に変化したとき、新しいデータゾーン／サブフレーム／モードから有効ＣＩＮＲ測定値を報告するようにＭＳに指示する必要がある。これには、ＣＱＩＣＨ＿Ａｌｌｏｃ＿ＩＥによる第２のＣＱＩＣＨチャネルの剥奪／再付与（de-allocation/re-allocation）のための追加的なオーバーヘッドが必要である。また、そのオーバーヘッドにより、新しいデータゾーン／サブフレーム／モードの正しいＣＱＩＣＨ測定値が得られるのが遅れ、リンクアダプテーション（link  adaptation）が正しくなくなる。これにより、ＵＬ−ＭＡＰのオーバーヘッドが増加し、リソース管理の効率性が低下する。
【０００８】
図３は、ＦＦＲの場合におけるＣＱＩＣＨシグナリングの例に関するものであり、ユーザをリユース１（Ｒ１）ゾーンとリユース３（Ｒ３）ゾーンに分配するのに必要なすべての情報をＢＳが集める場合を示す。この例では、あるＭＳがリユース１ゾーンに割り当てられ、このＭＳのＣＱＩＣＨチャネルが次のように割り当てられているものと仮定する：
ＣＱＩＣＨチャネル１（プリアンブルＲ１からの物理的ＣＩＮＲ）−ゾーン選択用
ＣＱＩＣＨチャネル２（Ｒ１ゾーンのパイロット／データサブキャリアからの有効ＣＩＮＲ）−リンクアダプテーション用
ＢＳは物理的ＣＩＮＲレポートを用いて、ＭＳをＲ１ゾーンとＲ３ゾーンとの間で適応的に切り替える。一方、有効ＣＩＮＲレポートを用いてリンクアダプテーションを実行する。図３において、斜線を引いたブロックでチャネル１シグナリングを示し、斜線を引いていないブロックでチャネル２を示した。
【０００９】
図３は、ＭＳ（ユーザ）をＲ１ゾーンからＲ３ゾーンに切り替えるとＢＳが決めるシナリオを示している。この切り替えは無線設定切り替えポイント（Radio  Configuration  Switch  Point）と呼ぶ。ＭＳの物理的レイヤー動作モードはここで変化して、ＭＳにはＲ３ゾーン中のデータが割り当てられる。この場合、ＢＳは（チャネル２に関する）他のＣＱＩＣＨ＿Ａｌｌｏｃ＿ＩＥを送信して、正確なリンクアダプテーション（ＭＣＳ選択）をするために、Ｒ３ゾーンの有効ＣＩＮＲを測定して報告するようにＭＳに通知する。
【発明の概要】
【００１０】
第１の態様による方法は、第１の通信装置と該第１の通信装置と通信する複数の第２の通信装置とを含む無線通信ネットワークにおける、第２の通信装置に複数の異なる特性指標を要求する方法であって、該方法は、前記第１の通信装置が少なくとも２つのインターリーブパターンを規定する単一命令を前記第２の通信装置に送信する段階であって、各インターリーブパターンは２つ以上の特性指標を指定し、前記第２の通信装置に割り当てられた単一フィードバックチャネルにおいて前記指定された特性指標をインターリーブするパターンを規定し、前記単一命令は、さらに、前記第１の通信装置から前記第２の通信装置に送信される選択信号であって前記第２の通信装置が前記インターリーブパターンのうちの１つを選択する選択信号を規定する送信回路を有する。
【００１１】
無線通信ネットワーク（無線通信システム）は互いに無線通信できる複数の通信装置すなわちノードを含む。例えば、無線通信ネットワークはＩＥＥＥ８０２．１６標準に基づくＷｉＭＡＸネットワークである。他の例では、無線通信ネットワークは電気通信ネットワーク、例えば３Ｇネットワークを含む。
【００１２】
通信装置は例えばネットワーク局や加入者局やその一部である。通信装置は送信回路、受信回路、及びその機能を実行するのに必要な制御回路を含み得る。ネットワーク局は他局によるネットワークリソースへのアクセスを直接的または間接的に制御する任意の装置である。ネットワークリソースへのアクセスには、例えば、リソースへのアクセス許可、帯域幅の割り当て、接続監視などが含まれる。ネットワーク局は例えば基地局（ＢＳ）や中継局（ＲＳ）である。加入者局（ＳＳ）はユーザがネットワークリソースにアクセスするのに利用する任意の装置であり得る。加入者局はポータブルであってもなくてもよく、インドアでの利用を想定したものであっても、アウトドアでの利用を想定したものであってもよい。加入者局の例としては、ハンドセット、携帯電話、スマートフォン、ＰＣの周辺装置またはコンポーネント、コンシューマ電子機器、ゲーム端末、ｍｐ３プレーヤなどがある。加入者局は例えば移動局（ＭＳ）やユーザ機器であってもよい。言うまでもなく、ＳＳ及びＭＳという用語は置き換え可能であり、ＭＳという用語を用いても本発明を移動可能局に限定するものではない。
【００１３】
特性指標は無線環境や無線設定（radio  configuration）に関する任意の情報を含み、特に、チャネル状態やチャネル品質に関するものであってもよい。特性指標は例えばリンクアダプテーション、物理レイヤーアダプテーション、モード切り替え等に関するもの、またはこれらの目的に有用なものでもよい。無線通信ネットワークでは、かかる特性指標を移動局（ＭＳ）及び中継局（ＲＳ）から基地局（ＢＳ）に向けて送信する。指標またはレポートを用いて、ＭＳまたはＲＳに関するアップリンクの情報、及び／またはその環境または要求に関する情報を提供する。例えば、指標は帯域幅要求、要求するサービスタイプ、またはチャネルパラメータ（チャネル品質等）に関するものでもよい。一実施例では、指標は基地局と中継局または移動局との間のチャネル品質の尺度（measure）を提供する。もちろん、中継局が送信経路にあれば、中継局は指標を用いて他の中継局や移動局からの前のリンクにおけるチャネル品質その他の指標を決定する。かかるレポートを用いて送信パラメータに必要な変更を特定し、システムのユーザが満足するサービスを維持しつつ、リソースを最大限に利用する。特性指標はフィードバックレポートであってもよく、例えばＣＱＩ（channel  quality  indicator）レポートであってもよい。実施例では、特性指標は物理的ＣＩＮＲレポートや有効ＣＩＮＲレポートを含む。物理的ＣＩＮＲレポートは、例えばＲ１ゾーンまたはＲ３ゾーンのプリアンブルからとってもよい。有効ＣＩＮＲレポートをＲ１ゾーンまたはＲ３ゾーンのパイロット／データサブキャリアからとってもよい。これらのレポートをそれぞれＰ−ＣＩＮＲ  Ｒ１、Ｐ−ＣＩＮＲ  Ｒ３、Ｅ−ＣＩＮＲ  Ｒ１、及びＥ−ＣＩＮＲ  Ｒ３と呼ぶこともある。少なくとも１つの特性指標は、方法を開始する時に送信評価に使用しなかった特性指標であってもよい。
【００１４】
一例として、現在ＭＳがＷｉＭＡＸフレーム内の第１のゾーンで動作している場合、特性指標の１つは他のゾーンのパラメータ（例えばチャネル品質）に関する情報を提供してもよい。これにより、ＢＳは第１のゾーンのチャネル品質の指標と第２のゾーンのチャネル品質の指標とを比較して、他のゾーンへの切り替えを命令できる（無線設定アダプテーション）。同様に、指標により、他のゾーンにおいてＭＳに最も適しているだろう代替的なリンクアダプテーション情報（ＭＣＳ変更）に関する情報を提供できる。本発明の実施形態によりＢＳが選択できる送信方法には、次のものがある：２以上の周波数再利用モード、ローカルまたは分散したサブチャネル化、及び異なるＭＩＭＯモード。
【００１５】
特性指標を第１の通信装置で用いて、送信パラメータを評価し、必要に応じて修正する。例えば、評価され修正された送信パラメータを、上記の代替的送信方法が適当であるか評価するパラメータから選択してもよい。
【００１６】
第２の通信装置は、特性指標を送信する前に、例えばパイロット信号に基づき決定してもよい。この決定は送信データに基づいてもよい。
【００１７】
第１の通信装置は、例えば単一命令において特性指標を規定してもよい。追加的または代替的に、所定の特性指標のセットから、各インターリーブパターンの特性指標を選択してもよい。
【００１８】
第２の通信装置は、一定時間、または単一命令が破棄されるまでインターリーブした特性指標を送信してもよい。例えば、別の命令を発行してもよいし、破棄命令を発行してもよい。第２の通信装置が移動している場合、または呼が終了した場合、破棄命令は必ずしも特性指標に関するものでなく、第２の通信装置の状態やそのステータスの変化を示すものであってもよい。
【００１９】
複数の異なる特性指標を提供することにより、第１の通信装置（例えばＢＳ）は、各方法のレポートを与えるＣＱＩにほぼ同時にアクセスできるので、好ましい送信方法への切替を制御できる。例えば、これによりＢＳは次を選択することができる：
・リユース１／リユース３（ＦＦＲ）
・ローカル／分散サブチャネル化（ＡＭＣ／ＰＵＳＣ）
・アダプティブＭＩＭＯスイッチング（ＡＭＳ）
ＭＩＭＯ−Ａ／ＭＩＭＯ−Ｂ（ＳＴＣ／ＳＭ）
ＳＵ−ＭＩＭＯ／ＭＵ−ＭＩＭＯ  （シングルユーザＭＩＭＯ／マルチユーザＭＩＭＯ）
本発明の実施形態により、送信方法の組み合わせを利用してシステムベネフィットを最大化できる。例えば（網羅的ではないリストとして）以下の方法を組み合わせることができる：
・ローカル／分散サブチャネル化をしたＦＦＲ
・ＡＭＳを伴うＦＦＲ
・ローカル／分散サブチャネル化をしたＡＭＳ
・ＭＵ−ＭＩＭＯを伴うＦＦＲ
この他にも多数の組み合わせが可能である。
【００２０】
フィードバックチャネルは、第２の通信装置が第１の通信装置に特性指標を送信できるチャネルであれば、如何なるチャネルであってもよい。一実施例では、フィードバックチャネルはＣＱＩＣＨであり、例えばＩＥＥＥ８０２．１６ｅ−２００５標準のＣＱＩＣＨチャネル１またはチャネル２である。「単一」フィードバックチャネルとは、１つのフィードバックチャネルのみ（例えば、ＣＱＩＣＨチャネル１またはチャネル２のいずれか一方、両方ではない）が特性指標とインターリーブされることを意味する。フィードバックチャネルは、例えば第１の通信装置により、第２の通信装置に割り当てられてもよい。割り当て（allocation）は例えばＵＬ−ＭＡＰの一部であるＣＱＩＣＨ＿Ａｌｌｏｃ＿ＩＥ等の情報要素（information  element）により行ってもよい。フィードバックチャネルは例えばＣＱＩＣＨ＿ＩＤにより識別できる。
【００２１】
単一命令（single  standing  instruction）はチャネル状態の変化を説明するのに必要なすべての詳細を示してもよく、情報要素、例えばＣＱＩＣＨ＿Ａｌｌｏｃ＿ＩＥを含んでいてもよい。第１の通信装置はダウンリンクフレーム／サブフレーム（例えば、ＵＬ−ＭＡＰの一部として）で命令を送信して、第２の通信装置は後続のアップリンクフレームで特性指標を送信するように命令してもよい。一実施例では、ＵＬ＿ＭＡＰはＩＥ（Information  Element、情報要素）を含み、そのＩＥは、ＭＳに、アップリンクフレーム／サブフレームの高速フィードバック（ＣＱＩＣＨ）領域において後続のアップリンクフレーム／サブフレームで特性指標を送信させる命令として機能してもよい。単一命令は、第２の通信装置が最初にどのインターリーブパターンを使用するか指定してもよい。
【００２２】
第１の通信装置は第２の通信装置に、通信フレーム／サブフレームにおけるフィードバックタイミングとフィードバック周波数範囲とを含むフィードバックウィンドウの仕様を送信してもよい。フィードバックウィンドウの仕様は、単一命令と同時に送信してもよく、単一命令の一部として送信してもよく、単一命令とは別に送信してもよい。通信フレーム／サブフレームのシーケンス中のすべての通信フレーム／サブフレームのすべてに第２の通信装置のフィードバックウィンドウが割り当てられるわけではない。例えば、１つおき、４つおき、８つおきのアップリンクフレーム／サブフレームがかかる指標を含み、フィードバックウィンドウが占めるリソースを他の第２の通信装置のフィードバックウィンドウのために使用してもよい。第１の通信装置は、通信フレーム／サブフレームがフィードバックウィンドウを含む間隔を命令してもよい。これを実現するため、単一命令はフレーム／サブフレームの特性指標の指標間の周期性を示すものであってもよい。フィードバックウィンドウは単一の特性指標のみを含むものであってもよい。このフィードバックウィンドウは、単一のフィードバックウィンドウがＭＳ（第２の通信装置）に割り当てられるように、これらの異なる指標の提供を切り替える（interchange）ことにより必要なだけ特性指標を提供することができる。このように、各ＭＳには１つのフィードバックウィンドウ（またはＷｉＭＡＸの例ではスロット）を割り当てればよい。第２の通信装置（ＭＳ）ごとに２つのフィードバックウィンドウを設け、各フィードバックウィンドウの特性指標を入れ替えてもよい。例えば、各フィードバックウィンドウは第２の通信装置に割り当てられたＷｉＭＡＸフレーム中のスロットであり、各スロットにはフィードバックウィンドウを含む通信フレームにおいてこれらの指標を交替することにより、２つのチャネル品質指標をいれてもよい。もちろん、システム要求に応じて、他の好適なインターリーブパターンであってもよい。
【００２３】
インターリーブパターンは、そのパターンにおいて各特性指標を他の特性指標に関していつ送信すべきかを規定して、送信する特性指標の規則性のパターンを規定してもよい。単純な実施例では、２つの特徴指標を交互のスロットで送信してもよい。他の実施例では、１つの特性指標を所定間隔（例えば４スロットごと）で送信してもよい。所定の間隔で送信される特性指標の間のギャップを他の特性指標で満たしてもよい。さらに別の実施例では、所定間隔（例えば４スロットおきに）で１つの特性指標を含まないスロット（空スロット）を残し、その空スロットを別の１つ以上の特性指標で交互に満たしてもよい。さらに別の実施例では、インターリーブパターンは、他の特性指標よりも高い頻度で送信すべき特性指標を指定するものであってもよい。少なくとも２つのインターリーブパターンは、それが含む特性指標の点で、及び／または各特性指標をどのくらい頻繁に送信するかという点で、及び／または特性指標を送信するパターンの点で、互いに異なっていてもよい。
【００２４】
選択信号はトリガー信号を含んでいてもよく、例えばMode_Switch_IEなどの情報要素を含んでいてもよい。本方法は、前記第１の通信装置が前記単一命令で規定された選択信号を前記第２の通信装置に送信する段階を含んでもよい。第１の通信装置は、ネットワーク状態の変化に応じて、第１の無線設定から第２の無線設定への変更（例えば、ゾーンＲ１からＲ３）を要求する選択信号を決定して送信してもよい。第１の通信装置は、選択信号を決定して、第２の無線設定にとって適切なインターリーブパターンを選択する。第１の通信装置（例えばＢＳ）は、第２の通信装置（例えばＭＳ）が経験し、「マスター」レポートだけでなく「スレーブ」ＣＱＩレポートによりＢＳに示された無線環境における長期的変化に基づき、インターリーブパターンを変更することを決定してもよい。無線環境におけるＭＳのチャネル状態に関する情報を（頻度が高くない）スレーブＣＱＩレポートにより通知してもよい。しかし、インターリーブパターンの変更が必要であるとの第１の通信装置が決定するプロセスは、この説明の範囲外である。
【００２５】
第１の通信装置は、各第２の通信装置について、複数の異なる特性指標のどれを送信するか決定し、異なる特性指標の送信のインターリーブパターンを決定するように構成された制御回路を含んでいてもよい。
【００２６】
第２の態様による方法は、第１の通信装置と該第１の通信装置と通信する複数の第２の通信装置とを含む無線通信ネットワークにおける、第２の通信装置から第１の通信装置に複数の異なる特性指標を送信する方法であって、該方法は、前記第２の通信装置が少なくとも２つのインターリーブパターンを規定する単一命令を前記第１の通信装置から受信する段階であって、各インターリーブパターンは２つ以上の特性指標を指定し、前記第２の通信装置に割り当てられた単一フィードバックチャネルにおいて前記指定された特性指標をインターリーブするパターンを規定し、前記単一命令は、さらに、前記第１の通信装置から前記第２の通信装置に送信される選択信号であって前記第２の通信装置が前記インターリーブパターンのうちの１つを選択する選択信号を規定する受信回路と、前記第２の通信装置が前記単一命令に応じて特性指標を前記第１の通信装置に送信する段階とを含む。
【００２７】
本方法は、前記第２の通信装置は前記第１の通信装置から前記単一命令で規定された選択信号を受信し、受信した選択信号に応じてインターリーブパターンを選択する段階を含んでもよい。
【００２８】
第３の態様による方法は、第１の通信装置と該第１の通信装置と通信する複数の第２の通信装置とを含む無線通信ネットワークにおける、第２の通信装置から第１の通信装置に複数の異なる特性指標を供給する方法であって、該方法は、前記第１の通信装置が少なくとも２つのインターリーブパターンを規定する単一命令を前記第２の通信装置に送信する段階であって、各インターリーブパターンは２つ以上の特性指標を指定し、前記第２の通信装置に割り当てられた単一フィードバックチャネルにおいて前記指定された特性指標をインターリーブするパターンを規定し、前記単一命令は、さらに、前記第１の通信装置から前記第２の通信装置に送信される選択信号であって前記第２の通信装置が前記インターリーブパターンのうちの１つを選択する選択信号を規定する段階と、前記第２の通信装置が前記第１の通信装置から前記単一命令を受信する段階と、前記第２の通信装置が前記単一命令に応じて特性指標を前記第１の通信装置に送信する段階とを含む。
【００２９】
どの態様においても、前記単一命令は第１のインターリーブパターンと第２のインターリーブパターンとを規定してもよく、前記第１のインターリーブパターンはマスター特性指標として機能する一特性指標と、スレーブ特性指標として機能する一以上の特性指標とを指定し、前記第２の通信装置が前記単一フィードバックチャネルにおいて前記マスター特性指標と前記一以上のスレーブ特性指標とをインターリーブするパターンを規定し、前記第２のインターリーブパターンは同一の特性指標を第１のインターリーブ構成として指定し、前記別の特性指標のうち１つをマスター指標として機能するものとし、残りの指定された特性指標をスレーブ特性指標として機能するものとし、前記第２の通信装置が前記単一フィードバックチャネルにおいて前記マスター特性指標と前記スレーブ特性指標とをインターリーブするパターンを規定する。
【００３０】
前記選択信号は、前記第２の通信装置がインターリーブパターンをトグルするトリガー信号を含んでいてもよい。
【００３１】
どの態様の方法も、前記第２の通信装置は前記トリガー信号の受信に応じてインターリーブパターンをトグルする段階を含んでいてもよい。
【００３２】
トリガーは主に代替的（スレーブ）ＣＱＩレポートに主に基づき、第１の通信装置（例えばＢＳ）から送られてもよい。第２の通信装置（例えばＭＳ）が自分の好ましい動作モードを示す要求を（何らかのシグナリングを用いて）するが、トリガーを発行する最終判断はＢＳが行ってもよい。
【００３３】
第４の態様による第１の通信装置は、  第１の通信装置と、該第１の通信装置と通信する複数の第２の通信装置とを含む無線通信ネットワークにおいて使用する前記第１の通信装置であって、前記第１の通信装置は、前記第１の通信装置が少なくとも２つのインターリーブパターンを規定する単一命令を前記第２の通信装置に送信するように構成された送信回路であって、各インターリーブパターンは２つ以上の特性指標を指定し、前記第２の通信装置に割り当てられた単一フィードバックチャネルにおいて前記指定された特性指標をインターリーブするパターンを規定し、前記単一命令は、さらに、前記第１の通信装置から前記第２の通信装置に送信される選択信号であって前記第２の通信装置が前記インターリーブパターンのうちの１つを選択する選択信号を規定する送信回路を有する。
【００３４】
前記送信回路は前記単一命令に規定された選択信号を前記第２の通信装置に送信するように構成されていてもよい。
【００３５】
第５の態様による第２の通信装置は、第１の通信装置と、該第１の通信装置と通信する複数の第２の通信装置とを含む無線通信ネットワークにおいて使用する第２の通信装置であって、前記第２の通信装置は、前記第２の通信装置が少なくとも２つのインターリーブパターンを規定する単一命令を前記第１の通信装置から受信するように構成された受信回路であって、各インターリーブパターンは２つ以上の特性指標を指定し、前記第２の通信装置に割り当てられた単一フィードバックチャネルにおいて前記指定された特性指標をインターリーブするパターンを規定し、前記単一命令は、さらに、前記第１の通信装置から前記第２の通信装置に送信される選択信号であって前記第２の通信装置が前記インターリーブパターンのうちの１つを選択する選択信号を規定する受信回路と、前記第２の通信装置が前記単一命令に応じて特性指標を前記第１の通信装置に送信するように構成された送信回路とを有する。
【００３６】
前記受信回路は前記第１の通信装置から前記単一命令に規定された選択信号を受信するように構成され、前記送信回路は受信した選択信号に応じてインターリーブパターンを選択するように構成されていてもよい。
【００３７】
第１の通信装置または第２の通信装置にさらに別の回路を設けて上記の方法尾の適切な要素を実行してもよい。
【００３８】
上記のどの態様においても、様々な特徴（features）をハードウェアで実現しても、プロセッサ上で動作するソフトウェアモジュールとして、またはソフトウェアとハードウェアを組み合わせて実現してもよい。したがって、「回路」は広く解釈すべきである。
【００３９】
第６の態様によるコンピュータプログラムは、コンピュータで実行されると、該コンピュータに第１ないし第３の態様の方法を実行させる、または前記コンピュータを第４または第５の態様の装置として機能させるコンピュータプログラムであって、任意的にキャリア媒体に担われ、前記キャリア媒体は好ましくは記録媒体または送信媒体であるコンピュータプログラム。
【００４０】
回路にはプロセッサ、メモリ、バスラインが含まれ得る。上記の回路は回路要素を共有していてもよい。
【００４１】
本発明は、（特許請求の範囲を含めて）特段の言及の存否にかかわらず、単独の、または様々な組み合わせの１つまたは複数の態様、実施形態、または特徴を含む。
【００４２】
上記の概要は例示であり限定ではない。
【図面の簡単な説明】
【００４３】
例として、添付した図面を参照して説明する。
【図１】ＩＥＥＥ８０２．１６ｅ−２００５標準によるＴＤＤ  ＯＦＤＭＡフレーム構成を示す図である。
【図２】提案されている、ＩＥＥＥ８０２．１６ｍ標準によるＴＤＤ  ＯＦＤＭＡスーパーフレーム構成を示す図である。
【図３】ＩＥＥＥ８０２．１６ｅ−２００５標準によるＣＱＩレポートの送信例を示す図である。
【図４】ＣＱＩＣＨ＿Ａｌｌｏｃ＿ＩＥの一例の決定を表すフローチャートである。
【図５】ＣＱＩＣＨ＿Ａｌｌｏｃ＿ＩＥのマスターＣＱＩＣＨレポート記載の生成（provision）を表すフローチャートである。
【図６】ＣＱＩＣＨ＿Ａｌｌｏｃ＿ＩＥのスレーブＣＱＩＣＨレポート記載の生成（provision）を表すフローチャートである。
【図７】ＣＱＩＣＨフィードバックメカニズムを表すフローチャートである。
【図８】Ｎ番目のＣＱＩＣＨオポチュニティ（opportunity）において送信される必要があるＣＱＩＣＨ＿Ｒｅｐｏｒｔの選択を表すフローチャートである。
【図９】１６ｍフレーム構成におけるレート適応的なインターリーブレポートをするＣＱＩＣＨシグナリングを示す。
【図１０】無線通信ネットワークを示すブロック図である。
【図１１】複数の特性指標の要求方法の一例を示すフローチャートである。
【図１２】複数の特性指標の要求方法の他の一例を示すフローチャートである。
【図１３】複数の特性指標の送信方法の一例を示すフローチャートである。
【図１４】複数の特性指標の送信方法の他の一例を示すフローチャートである。
【図１５】基地局を示すブロック図である。
【図１６】加入者局を示すブロック図である。
【発明を実施するための形態】
【００４４】
本発明の実施形態は、無線通信システムのシグナリングメカニズムに関する。
【００４５】
図１０は第１の通信装置と複数の第２の通信装置とを含む無線通信ネットワーク１０を示す図である。この例では、第１の通信装置は基地局であり、複数の第２の通信装置は加入者局１４である。各加入者局にはラベル１４ａ−ｄとした。基地局１２と加入者局１４は互いに無線通信するように構成されている。この例では、無線通信ネットワークはＩＥＥＥ８０２．１６標準に基づくＷｉＭＡＸネットワークである。
【００４６】
図１１は無線通信ネットワーク１０の加入者局１４の１つに、複数の異なる特性指標（characteristic  indicators）を要求する方法の一例を示すフローチャートである。
【００４７】
ブロックＳ１−１において、基地局１２が少なくとも２つのインターリーブパターン（interleaving  pattern）を規定する１つの命令（standing  instruction）を送信する。各インターリーブパターンは２つ以上の特性指標を指定し、パターンを規定している。加入者局１４は、このパターンに応じて、加入者局１４に割り当てられた１つのフィードバックチャネルにおいて指定された特性指標をインターリーブする。この１つの命令は、さらに、基地局１２から加入者局１４に送信される選択信号を規定する。加入者局１４は、この選択信号に応じて複数のインターリーブパターンのうちの１つを選択する。
【００４８】
図１２は無線通信ネットワーク１０の複数の加入者局１４のうち１つに、複数の異なる特性指標（characteristic  indicators）を要求する方法の他の一例を示すフローチャートである。
【００４９】
ブロックＳ１−１において、基地局１２は上記の通り加入者局１４に１つの命令を送信する。ブロックＳ１−２において、基地局１２は加入者局１４に、１つの命令で規定した選択信号を送信する。基地局１２は、無線環境の変化に基づき、必要に応じてブロックＳ１−２の動作を繰り返す。
【００５０】
図１３は、無線通信ネットワーク１０において、複数の加入者局１４のうち１つから基地局１２に、複数の異なる特性指標（characteristic  indicators）を送信する方法の一例を示すフローチャートである。
【００５１】
ブロックＳ３−１において、加入者局１４は上記の通り基地局１２から１つの命令を受信する。ブロックＳ３−２において、加入者局１４は上記１つの命令（single  standing  instruction）に応じて基地局に特性指標を送信する。加入者局１４は必要に応じて、または上記１つの命令で規定されていれば、ブロックＳ３−２の動作を繰り返してもよい。
【００５２】
図１４は、無線通信ネットワーク１０において、複数の加入者局１４のうち１つから基地局１２に、複数の異なる特性指標（characteristic  indicators）を送信する方法の他の一例を示すフローチャートである。
【００５３】
ブロックＳ３−１において、加入者局１４は上記の通り基地局１２から上記１つの命令を受信する。ブロックＳ３−２において、加入者局１４は上記１つの命令に応じて基地局１２に特性指標を送信する。ブロックＳ３−３において、加入者局１４は基地局１２から上記１つの命令で規定された選択信号を受信し、受信した選択信号に応じてインターリーブパターンを選択する。図１４のループは、ブロックＳ３−２とＳ３−３の一方または両方を必要に応じて繰り返すことを示す。
【００５４】
図１５と図１６はそれぞれ基地局１２と複数の加入者局１４のうち１つのブロック図であり、本発明の説明に関連する要素のみを示している。基地局１２は送信回路１２−２を含み、加入者局１４は受信回路１４−２と送信回路１４−４とを含む。図１５と図１６に示した回路はここで説明した動作を実行するように構成されている。
【００５５】
本発明はＩＥＥＥ８０２．１６ｍシステムのシグナリングメカニズムを提供する。ＢＳ１２はＭＳ１４に、同じＣＱＩＣＨチャネルにおいて異なる間隔で複数のＣＱＩ測定レポートを報告するように命令できる。この命令には、各ＣＱＩＣＨレポートのステータスタグを「マスター」または「スレーブ」としてイニシャライズ（initialize）し、トリガー情報を提供して、ＭＳ１４においてタグ、及びそれによりレポート間隔を自動的に変更する、ＭＳ１４に対するＢＳ１２による命令を含む。ＢＳ１２はこれを実現するのに、１つのＣＱＩＣＨ＿Ａｌｌｏｃ＿ＩＥまたは同様タイプのメッセージを発行する。その後、ＭＳ１４は適宜、レポートを開始し、物理レイヤーの動作モードの変更に伴いレポートフィードバック間隔を自動的に更新する。これは、同じタイプのレポートがすべてのＣＱＩＣＨオポチュニティでは必要ない場合に有益である。この場合、ＣＱＩＣＨチャネルを最適なやり方で利用できる。すなわち、ＢＳ１２が利用できるレポートタイプはほとんどの場合リンクアダプテーションに必要なものであり、一方同時に、ＢＳ１２が無線リソースの効率的な管理に有用であるとする他のレポートの定期的なフィードバックを維持する。
【００５６】
上記の通り、本発明はＣＱＩＣＨシグナリングメカニズムを提供する。このメカニズムにより、ＢＳ１２はＭＳ１４に対して、同じＣＱＩＣＨチャネルにおいて複数の異なる測定値を代替的にレポートするように命令し、同時に、これらの複数のレポートのレートを現在の無線設定に適切に合わせることができる。この場合、無線設定の定義は、ＭＳ１４の物理レイヤー動作モード、すなわち例えばＭＩＭＯ  Ａ、ＭＩＭＯ  Ｂ、リユース１、リユース３、ローカルまたは分散サブチャネル化（Localized  or  Distributed  sub-channelization）である。シグナリングメカニズムによりＢＳ１２はＭＳ１４の現在または長期的なチャネル状態に関する望ましい情報を収集でき、リソースを効率的に管理でき、シグナリングとアップリンクＣＱＩＣＨチャネルのオーバーヘッドを不必要に増加させない。
【００５７】
本発明は、必要なシグナリングとシステムの複雑性を増大させずに、上記の問題を解決する。一般的に、無線設定（動作モード）の変更はＭＳ１４のチャネル状態における長期的な変化により起こり、一方リンクアダプテーションはチャネルにおける短期的な変化に基づく。現在の動作モードに対応するレポートのみが速いレートで必要とされ、一方他のレポートが届く間隔はより長く、変動してもよい。必要な測定値は以下により１つのＣＱＩＣＨチャネルに入れることが出来る：
・現在の物理レイヤー動作モードに対応するデフォルトマスターＣＱＩＣＨレポートを画成する；これはＭＳ１４から速いレートでフィードバックされ得る。
・設定の適合と切り替えに必要な任意的スレーブＣＱＩＣＨレポートを画成する。これはＭＳ１４から遅いレートでフィードバックされ得る。
・ＭＳ１４において好ましい無線設定が変わったとき、マスターレポートを適宜変更するように、マスター←→スレーブをトグルするトリガーを画成する。
・どのくらいの頻度でスレーブレポートをマスターレポートの間に時間的にインターリーブするかを示すSlave_Feedback_Cycleを画成する。
・ＭＳ１４に、画成されたSlave_Feedback_Cycleに従ってスレーブレポートをマスターレポートの間にインターリーブする。
・プロセスにＡＲＱメカニズムを組み込み、ロバスト性を加える。
【００５８】
このように、ＢＳ１２は、ＭＳ１４をＲ１ゾーンまたはＲ３ゾーンのいずれかに効果的に割り当てる情報を与えられる。さらに、ＢＳ１２は、ＭＳ１４がデータを割り当てたゾーンに適切なＭＣＳ（変調・符号化方式）を正しく割り当てる情報も有する。例えば、ＢＳ１２は、ＭＳ１４の物理レイヤー動作モードを変更する決定をしたとき、異なる動作モードにおいてＭＳ１４が経験する無線特性に関する事前の知識を有している。さらに、新しい動作モードを用いてＭＳ１４にデータを割り当てたときは（モードはＢＳ１２が選択する）、リンクアダプテーションに必要なレポートのステータスとレートを自動的に更新する。
【００５９】
メッセージＣＱＩＣＨ＿Ａｌｌｏｃ＿ＩＥを画成して、MS１４のチャネル状態がどのように変化するかに関わらず、一旦イニシャライズすれば、そのMS１４に再度アロケーションする必要がないように、アロケーション段階において、上記の情報をメッセージに入れておく。ＢＳ１２によるＣＱＩＣＨ＿Ａｌｌｏｃ＿ＩＥの生成を図４乃至図６のフローチャート及び以下の説明に示した。ＢＳ１２は、ＤＬにおいて、リソースブロックがどのようにＭＳ１４にアロケートされているかに応じて、リソースブロック動作モードの変更を、Ｍｏｄｅ＿Ｃｈａｎｇｅシグナリングメッセージ（例えば、Mode_Switch_IE）によりＭＳ１４に示してもよいし、それは暗黙のものでもよい。暗黙のシグナリングの例として、ＢＳ１２は、複数の物理レイヤー動作モードに対して、フレーム／スーパーフレームのＤＬ領域内に、予め画成され互いに排他的なゾーンを有する。かかる場合、ＭＳ１４は、どのゾーンにアロケートされているかに応じて、「Zone-Type」または「Zone_Switch_IE」がＣＱＩＣＨ＿Ａｌｌｏｃ＿ＩＥにおけるトリガーとして画成されている場合、そのゾーンの物理動作モードに対応するインターリーブパターンを暗黙的に受け入れてもよい。MS１４とＢＳ１２との間の同期を支援するため、初期ＣＱＩＣＨ＿Ａｌｌｏｃ＿ＩＥ及び暗黙的または明示的トリガーの両方にＡＣＫ−ＮＡＣＫシグナリングを用いてもよい。
【００６０】
図４は、シグナリングメカニズムのＣＱＩＣＨ＿Ａｌｌｏｃ＿ＩＥの一例の画成を表すフローチャートであり、フローチャートに示したプロセスをここで説明する。
（ＡＳ０１）Ext  UIUC,  Length,  ID,  及びAllocation  Offsetを含むＩＥの詳細を決定。
（ＡＳ０２）フレーム数についてCQICH  Period[p]を決定。
（ＡＳ０３）Superframe  Offset,  Frame  Offset、及びSubframe  Bitmapに関して第１のＣＱＩＣＨレポートのＣＱＩＣＨオフセットを決定。
（ＡＳ０４）ＣＱＩＣＨ＿Ａｌｌｏｃ＿ＩＥが有効なCQICH  Duration  「d」を決定。
（ＡＳ０５）もしd＝０（ＣＱＩＣＨ＿Ａｌｌｏｃ＿ＩＥがデ・アロケートされていることを示す）であれば、ＡＳ１４に進む。
（ＡＳ０６）（図５を参照して説明した）「マスターＣＱＩＣＨレポート記載」を設ける。
（ＡＳ０７）スレーブレポートがなければ、ＡＳ１４に進む。
（ＡＳ０８）スレーブレポート数「ｎ」を決定。
（ＡＳ０９）カウンタｉ＝０を設定
（ＡＳ１０）（図６を参照して説明した）「ｉ番目のスレーブＣＱＩＣＨレポート記載」を設ける。
（ＡＳ１１）カウンタ「ｉ」をインクリメント。
（ＡＳ１２）ｉ＜ｎであれば、ステップ１０ないし１１を繰り返す。
（ＡＳ１３）「ｍ番目」のＣＱＩＣＨオポチュニティに関して「Slave_Feedback_Cycle」を決定。
（ＡＳ１４）必要ならパディングビットを加える。
（ＡＳ１５）ＣＱＩＣＨ＿Ａｌｌｏｃ＿ＩＥ終了
図５は、図４のＡＳ０６のように、ＣＱＩＣＨ＿Ａｌｌｏｃ＿ＩＥのマスターＣＱＩＣＨレポート記載の生成を表すフローチャートであり、フローチャートに示したプロセスをここで説明する。
（ＢＳ０１）デフォルトマスターＣＱＩＣＨレポートのフラグ「Ｔｏｇｇｌｅ＿Ｅｎ」を設定する。値「１」は、「Toggle  Trigger」に基づき、レポートの役割が「スレーブ」に変わることを示す。値「０」はレポートが常に「マスター」であることを示す。
（ＢＳ０２）Ｔｏｇｇｌｅ＿Ｅｎ＝０であれば、ＢＳ０４に進む。
（ＢＳ０３）「マスター」レポートのステータスをいつ「スレーブ」にトグルするか決定するトグルトリガーを設定する。例えば、Mode_Switch_IEのようなＭｏｄｅ＿Ｃｈａｎｇｅシグナリングメッセージである。
（ＢＳ０４）レポートタイプを設定。これは、レポートが動作モードに対するものか（Configレポート）またはプリアンブルに対するものか（プリアンブルレポート）を記述する。レポートタイプは、さらに詳細を含んでいてもよい。例えば、測定が物理ＳＩＮＲに基づくかまたは有効ＳＩＮＲに基づくか、及びプリアンブルレポートの場合、リユース１ゾーンかリユース３ゾーンか。
（ＢＳ０５）レポートタイプ＝＝プリアンブルレポートであるとき、ＢＳ０８に進む。
（ＢＳ０６）ＣＱＩＣＨレポートが期待される物理レイヤー動作モードを記述するモードを設定。
（ＢＳ０７）測定がパイロットまたはデータサブキャリアで行われるか示す測定タイプ（Measurement  Type）を設定する。
（ＢＳ０８）マスターＣＱＩＣＨレポート記載の終了
図６は、図４のＡＳ１０のように、ＣＱＩＣＨ＿Ａｌｌｏｃ＿ＩＥのスレーブＣＱＩＣＨレポート記載の生成を表すフローチャートであり、フローチャートに示したプロセスをここで説明する。
（ＣＳ０１）マスターＣＱＩＣＨレポートの場合、Ｔｏｇｇｌｅ＿Ｅｎ＝０であれば、ＣＳ０３に進む。
（ＣＳ０２）スレーブＣＱＩＣＨレポートのフラグ「Ｔｏｇｇｌｅ＿Ｅｎ」を設定する。値「１」は、マスターＣＱＩＣＨレポートに対して決定された「Toggle  Trigger」に基づき、レポートの役割が「マスター」に変わることを示す。値「０」はレポートが常に「スレーブ」であることを示す。
（ＣＳ０３）レポートタイプを設定。これは、レポートが動作モードに対するものか（Configレポート）またはプリアンブルに対するものか（プリアンブルレポート）を記述する。レポートタイプは、さらに詳細を含んでいてもよい。例えば、測定が物理ＳＩＮＲに基づくかまたは有効ＳＩＮＲに基づくか、及びプリアンブルレポートの場合、リユース１ゾーンかリユース３ゾーンか。
（ＣＳ０４）レポートタイプ＝＝プリアンブルレポートであるとき、ＣＳ０７に進む。
（ＣＳ０５）ＣＱＩＣＨレポートが期待される物理レイヤー動作モードを記述するモードを設定。
（ＣＳ０６）測定がパイロットまたはデータサブキャリアで行われるか示す測定タイプ（Measurement  Type）を設定する。
（ＣＳ０７）スレーブＣＱＩＣＨレポート記載の終了
ＭＳはＣＱＩＣＨ＿Ａｌｌｏｃ＿ＩＥを復号して、Ａｌｌｏｃ＿ＡＣＫのようなメッセージにより直接、またはＵＬ−ＭＡＰに対するＡＣＫを送信することにより黙示的に、アクノレッジメントを送信する。図７のフローチャートを参照して説明した、フィードバックメカニズムがＭＳ１４において開始される。図７のＤＳ１２のように、ＣＱＩＣＨチャネルにおいて送信される次のレポートの選択を記述するサブルーチンを、図８のフローチャートを参照して説明する。
【００６１】
図７は、ＭＳ１４におけるＣＱＩＣＨフィードバックメカニズムを表すフローチャートである。フローチャートに示したプロセスをここで説明する。
（ＤＳ０１）受信したＣＱＩＣＨ＿Ａｌｌｏｃ＿ＩＥを復号し、保存する。
（ＤＳ０２）アクノレッジメント、例えばＡｌｌｏｃ＿ＡＣＫのようなメッセージ（またはＵＬ−ＭＡＰ＿ＡＣＫの形で暗黙的に）をＢＳに送信する。
（ＤＳ０３）これが有効なＣＱＩＣＨレポートオポチュニティ（CQICH  reporting  opportunity）であるかチェックする。有効なＣＱＩＣＨレポートオポチュニティであなければ、ＤＳ１４に進む。
（ＤＳ０４）ＣＱＩＣＨレポートを準備。
（ＤＳ０５）ＣＱＩＣＨ＿Ａｌｌｏｃ＿ＩＥが発行されてから最初のオポチュニティであるかチェックする。最初のオポチュニティであれば、ＤＳ１７に進む。
（ＤＳ０６）バッファに保存したマスター／スレーブフラグに基づき、すべてのＣＱＩＣＨレポートのマスター／スレーブステータスを更新する。
（ＤＳ０７）マスターＣＱＩＣＨレポートのＴｏｇｇｌｅ＿Ｅｎフラグが「１」に設定されているかチェックする。「１」に設定されていなければ、ＤＳ１６に進む。
（ＤＳ０８）Ｍｏｄｅ＿Ｃｈａｎｇｅシグナリングをチェックして、マスターレポートをスレーブにトグルすべきか決定する。
（ＤＳ０９）マスターのステータスをスレーブにトグルすべきでない場合、ＤＳ１２に進む。
（ＤＳ１０）Ｍｏｄｅ＿Ｃｈａｎｇｅ＿ＡＣＫ等のメッセージにより、動作モードの変更を確認するアクノレッジメントをＢＳに送信する。
（ＤＳ１１）フラグＴｏｇｇｌｅ＿Ｅｎが「１」に設定されたスレーブのリストから新しいマスターを選択する。これらの新しいステータスフラグをバッファに保存する。ＤＳ０６において、フラグを更新するためこのバッファにアクセスする。
（ＤＳ１２）関数ＣＱＩＣＨ＿Ｒｅｐｏｒｔ（図８を参照して説明する）をコールする。この関数は、マスターレポートまたは複数のスレーブレポートのうちどれをＢＳにフィードバックすべきか決定する。
（ＤＳ１３）ＣＱＩＣＨ＿ＲｅｐｏｒｔをＢＳ１２に送信する。
（ＤＳ１４）サブフレームをインクリメントする。
（ＤＳ１５）ＣＱＩＣＨ＿Ｄｕｒａｔｉｏｎが経過したかチェックする。経過していれば、ＤＳ１８（終了）に進む。経過していなければ、ＤＳ０３に進む。
（ＤＳ１６）スレーブレポートがＣＱＩＣＨ＿Ａｌｌｏｃ＿ＩＥにより画成されたかチェックする。ＹＥＳであれば、ＤＳ１２に進む。
（ＤＳ１７）マスターＣＱＩＣＨレポートをＢＳ１２に送信し、ＤＳ１４に進む。
（ＤＳ１８）終了
図８は、Ｎ番目のＣＱＩＣＨオポチュニティ（opportunity）において送信される必要があるＣＱＩＣＨ＿Ｒｅｐｏｒｔの選択を表すフローチャートである。フローチャートに示したプロセスをここで説明する。
（ＥＳ０１）N＝CQICH_Opportunity（カウント）を画成する。
（ＥＳ０２）m＝Slave_Feedback_Cycleを画成。
（ＥＳ０３）ｎ＝スレーブ数を画成。
（ＥＳ０４）「M」＝Master_Repを画成。
（ＥＳ０５）[S１,  S２,  ….Sn]  ＝  n  Slave_Repを画成。
（ＥＳ０６）MOD（N,m）  !＝  ０であれば、ＥＳ１１に進む。
（ＥＳ０７）Slave_Index  ＝  MOD[（N/m）,n]を画成。
（ＥＳ０８）Slave_Index  !＝  ０であれば、ＥＳ１０に進む。
（ＥＳ０９）Slave_Index  ＝  n
（ＥＳ１０）CQICH_Rep  ＝  SSlave_Indexに設定し、ＥＳ１２に進む。
（ＥＳ１１）CQICH_Rep  ＝  ‘M’
（ＥＳ１２）終了
ＭＳ１４は、Ｍｏｄｅ＿Ｃｈａｎｇｅシグナリングを検出すると、ＢＳ１２にアクノレッジメントを送信する。送信は、Ｍｏｄｅ＿Ｃｈａｎｇｅ＿ＡＣＫと同様のメッセージにより直接、またはＵＬ−ＭＡＰに対するＡＣＫにより暗黙的に行う。ＣＱＩＣＨフィードバック及びシグナリングメカニズムのＡＲＱプロセスにより、間違ったトリガーを回避して、同期を助け、プロセスにロバスト性を加える。
【００６２】
ＦＦＲの例では、１６ｍフレーム構成の場合には、レポートと間隔は表１に示した通りである。これらはＣＱＩＣＨ＿Ａｌｌｏｃ＿ＩＥ（または同様のメッセージ）の一部となる。
【表１】
2010045787.tif 000003
【００６３】
タイミング図を図９に示した。
【００６４】
図から分かるように、同一のＣＱＩＣＨチャネルにおいて、マスターレポートは速いレートでフィードバックされ、２つのスレーブレポートはSlave_Feedback_Cycleにより時間的にインターリーブされ交替している。後で、物理レイヤー動作モードがＲ１からＲ３に変化すると、物理レイヤーモードの変化を示すＩＥ（Information  Element）、またはMode_Switch_IE（または同タイプのメッセージ）によりＢＳ１２により示される。ＭＳ１４はこれを用いてマスター←→スレーブのトグルをトリガーし、トリガーのＡＣＫを送信し、フィードバックレポートのマスターフラグ及びスレーブフラグを適宜更新する。ＣＱＩＣＨフィードバック動作を図７乃至図９に示した。ＭＳ１４がＭｏｄｅ＿Ｃｈａｎｇｅトリガーを経験し、トリガーに対するＡＣＫを送信し、次のＣＱＩＣＨオポチュニティからＣＱＩＣＨフィードバックサイクルを更新するまで、フィードバックサイクルはデフォルトモードで続く。
【００６５】
このように、本発明は、ＵＬにおいて利用可能な高速フィードバックを最適に利用する効率的なシグナリング・フィードバックメカニズムを提供することにより、既存の標準の大きな制約を解決する。これは、シグナリングオーバーヘッドを追加することもなく、ＴＤＤベースのシステムに特に有益である。
【００６６】
本発明は、無線技術の発展に伴い、標準が最先端のコンセプトや技術を利用するように設計されているので、他の複雑な構成に適用することもできる。それゆえ、本発明により、ＢＳ１２は、進んでユーザ（ＭＳ１４）性能を提供することを究極的な目標として、最もロバストなやり方で無線リソースを管理できる。
【００６７】
ＩＥＥＥ８０２．１６ｅ−２００５等の現在のシステムでは、フィードバックメカニズムには制約があり、レポートレートまたはタイプを変更する要求をするシグナリングのためのオーバーヘッドがかかるか、リンクアダプテーション中に訂正が必要となり、システムの効率が下がり、最適な性能が得られない。
【００６８】
本発明は、シグナリングオーバーヘッドを増やさず正確なリンクアダプテーションを保証するシグナリングメカニズムを提案することにより、動的な無線環境において異なるＣＱＩレポートの周期性を合わせる必要性を解決する。本方法は、同一ＣＱＩチャネルにおける複数のＣＱＩレポートを、そのレポートがリンクアダプテーション、物理レイヤーモードアダプテーション、またはモード切り替え目的に必要かどうかに応じて、「マスター」または「スレーブ」に分類する。さらに、本方法は、レポートタイプのステータスを「マスター」から「スレーブ」に、またはその逆に切り替えるメカニズムを提供する。このメカニズムは動作モードの変化により自動的にトリガーされ、モビリティが低いユーザと非常に高いユーザの両方に対して変わり続ける無線環境においてシステム性能を最大化する。
【００６９】
利点をまとめると以下の通りである：
・あるユーザに対して同一のＣＱＩＣＨチャネル上に高速ＣＱＩレポートと低速ＣＱＩレポートの共存をサポートし、複数のフィードバックチャネルやシグナリングオーバーヘッドの追加を必要としない。
・シグナリングオーバーヘッドを追加せずに、変化するＭＳ動作モードに基づきＣＱＩレポートの周期性を設定し自動的に変更する手段を提供する。
・動的無線環境においてＣＱＩレポートの信頼性を改善し、モビリティが高いユーザについても、リンクアダプテーションの正確性を改善しレイテンシーを低減する。
・制御プレーンにおける無線リソースの利用を最適化し、無線ネットワークの効率を改善する。
・信頼できるリンクアダプテーションにより、ユーザに対するスループット、それゆえシステム全体に対するスループットを最大化する。
・特にモビリティが高いユーザに対して高速のチャネルアダプテーションを可能として、無線ネットワーク性能を改善する。
・ＣＱＩＣＨシグナリング・フィードバックメカニズムの自動プロセスを提供して、実装を容易にし、システムの複雑性を低減する。
・ＡＲＱメカニズムを組み込むことにより、本方法のロバスト性を高くする。
【００７０】
上記の説明において、第２の通信装置をＭＳと呼び、第１の通信装置をＢＳと呼んだ。しかし、これに限定されず、第１の装置がＲＳその他の要素（entity）であってもよく、それとは独立して第２の装置がＲＳその他の要素であってもよいことが、当業者には明らかであろう。
【００７１】
言うまでもなく、上記の回路は説明した機能に加えて他の機能を有してもよく、これらの機能は同じ回路で実行できてもよい。
【００７２】
出願人は、特許請求の範囲を限定することなく、ここに開示した問題を解決できるかどうかにかかわらず、当業者の通常の知識を考慮して本明細書全体に基づき実施できる程度に、ここで説明した個別の特徴及びかかる特徴の組み合わせをここに開示した。本発明の態様はかかる個別の特徴またはその組み合わせよりなる。以上の説明を考慮して、本発明の範囲内で様々な修正ができることは当業者には明らかであろう。
【００７３】
なお、以上開示した実施形態に関して以下の付記を記載する。
（付記１）第１の通信装置と該第１の通信装置と通信する複数の第２の通信装置とを含む無線通信ネットワークにおける、第２の通信装置に複数の異なる特性指標を要求する方法であって、該方法は、
前記第１の通信装置が少なくとも２つのインターリーブパターンを規定する単一命令を前記第２の通信装置に送信する段階であって、各インターリーブパターンは２つ以上の特性指標を指定し、前記第２の通信装置に割り当てられた単一フィードバックチャネルにおいて前記指定された特性指標をインターリーブするパターンを規定し、前記単一命令は、さらに、前記第１の通信装置から前記第２の通信装置に送信される選択信号であって前記第２の通信装置が前記インターリーブパターンのうちの１つを選択する選択信号を規定する段階を含む方法。
（付記２）前記第１の通信装置が前記単一命令で規定された選択信号を前記第２の通信装置に送信する段階を含む、付記１に記載の方法。
（付記３）第１の通信装置と該第１の通信装置と通信する複数の第２の通信装置とを含む無線通信ネットワークにおける、第２の通信装置から第１の通信装置に複数の異なる特性指標を送信する方法であって、該方法は、
前記第２の通信装置が少なくとも２つのインターリーブパターンを規定する単一命令を前記第１の通信装置から受信する段階であって、各インターリーブパターンは２つ以上の特性指標を指定し、前記第２の通信装置に割り当てられた単一フィードバックチャネルにおいて前記指定された特性指標をインターリーブするパターンを規定し、前記単一命令は、さらに、前記第１の通信装置から前記第２の通信装置に送信される選択信号であって前記第２の通信装置が前記インターリーブパターンのうちの１つを選択する選択信号を規定する段階と、
前記第２の通信装置が前記単一命令に応じて特性指標を前記第１の通信装置に送信する段階とを含む方法。
（付記４）前記第２の通信装置は前記第１の通信装置から前記単一命令で規定された選択信号を受信し、受信した選択信号に応じてインターリーブパターンを選択する、付記３に記載の方法。
（付記５）第１の通信装置と該第１の通信装置と通信する複数の第２の通信装置とを含む無線通信ネットワークにおける、第２の通信装置から第１の通信装置に複数の異なる特性指標を供給する方法であって、該方法は、
前記第１の通信装置が少なくとも２つのインターリーブパターンを規定する単一命令を前記第２の通信装置に送信する段階であって、各インターリーブパターンは２つ以上の特性指標を指定し、前記第２の通信装置に割り当てられた単一フィードバックチャネルにおいて前記指定された特性指標をインターリーブするパターンを規定し、前記単一命令は、さらに、前記第１の通信装置から前記第２の通信装置に送信される選択信号であって前記第２の通信装置が前記インターリーブパターンのうちの１つを選択する選択信号を規定する段階と、
前記第２の通信装置が前記第１の通信装置から前記単一命令を受信する段階と、
前記第２の通信装置が前記単一命令に応じて特性指標を前記第１の通信装置に送信する段階とを含む方法。
（付記６）前記単一命令は第１のインターリーブパターンと第２のインターリーブパターンとを規定し、
前記第１のインターリーブパターンはマスター特性指標として機能する一特性指標と、スレーブ特性指標として機能する一以上の別の特性指標とを指定し、前記第２の通信装置が前記単一フィードバックチャネルにおいて前記マスター特性指標と前記一以上のスレーブ特性指標とをインターリーブするパターンを規定し、
前記第２のインターリーブパターンは同一の特性指標を第１のインターリーブ構成として指定し、前記別の特性指標のうち１つをマスター指標として機能するものとし、残りの指定された特性指標をスレーブ特性指標として機能するものとし、前記第２の通信装置が前記単一フィードバックチャネルにおいて前記マスター特性指標と前記スレーブ特性指標とをインターリーブするパターンを規定する、付記１ないし５いずれか一項に記載の方法。
（付記７）前記選択信号は、前記第２の通信装置がインターリーブパターンをトグルするトリガー信号を含む、付記１ないし６いずれか一項に記載の方法。
（付記８）前記第２の通信装置は前記トリガー信号の受信に応じてインターリーブパターンをトグルする、付記７に記載の方法。
（付記９）第１の通信装置と、該第１の通信装置と通信する複数の第２の通信装置とを含む無線通信ネットワークにおいて使用する前記第１の通信装置であって、前記第１の通信装置は、
前記第１の通信装置が少なくとも２つのインターリーブパターンを規定する単一命令を前記第２の通信装置に送信するように構成された送信回路であって、各インターリーブパターンは２つ以上の特性指標を指定し、前記第２の通信装置に割り当てられた単一フィードバックチャネルにおいて前記指定された特性指標をインターリーブするパターンを規定し、前記単一命令は、さらに、前記第１の通信装置から前記第２の通信装置に送信される選択信号であって前記第２の通信装置が前記インターリーブパターンのうちの１つを選択する選択信号を規定する送信回路を有する第１の通信装置。
（付記１０）前記送信回路は前記単一命令に規定された選択信号を前記第２の通信装置に送信するように構成された、付記９に記載の装置。
（付記１１）第１の通信装置と、該第１の通信装置と通信する複数の第２の通信装置とを含む無線通信ネットワークにおいて使用する第２の通信装置であって、前記第２の通信装置は、
前記第２の通信装置が少なくとも２つのインターリーブパターンを規定する単一命令を前記第１の通信装置から受信するように構成された受信回路であって、各インターリーブパターンは２つ以上の特性指標を指定し、前記第２の通信装置に割り当てられた単一フィードバックチャネルにおいて前記指定された特性指標をインターリーブするパターンを規定し、前記単一命令は、さらに、前記第１の通信装置から前記第２の通信装置に送信される選択信号であって前記第２の通信装置が前記インターリーブパターンのうちの１つを選択する選択信号を規定する受信回路と、
前記第２の通信装置が前記単一命令に応じて特性指標を前記第１の通信装置に送信するように構成された送信回路とを有する第２の通信装置。
（付記１２）前記受信回路は前記第１の通信装置から前記単一命令に規定された選択信号を受信するように構成され、前記送信回路は受信した選択信号に応じてインターリーブパターンを選択するように構成されている、付記１１に記載の装置。
（付記１３）前記単一命令は第１のインターリーブパターンと第２のインターリーブパターンとを規定し、
前記第１のインターリーブパターンはマスター特性指標として機能する一特性指標と、スレーブ特性指標として機能する一以上の特性指標とを指定し、前記第２の通信装置が前記単一フィードバックチャネルにおいて前記マスター特性指標と前記一以上のスレーブ特性指標とをインターリーブするパターンを規定し、
前記第２のインターリーブパターンは同一の特性指標を第１のインターリーブ構成として指定し、前記別の特性指標のうち１つをマスター指標として機能するものとし、残りの指定された特性指標をスレーブ特性指標として機能するものとし、前記第２の通信装置が前記単一フィードバックチャネルにおいて前記マスター特性指標と前記スレーブ特性指標とをインターリーブするパターンを規定する、付記９ないし１２いずれか一項に記載の装置。
（付記１４）前記選択信号は、前記第２の通信装置がインターリーブパターンをトグルするトリガー信号を含む、付記９ないし１３いずれか一項に記載の装置。
（付記１５）コンピュータで実行されると、該コンピュータに付記１ないし８いずれか一項に記載の方法を実行させる、または前記コンピュータを付記９ないし１４いずれか一項に記載の装置として機能させるコンピュータプログラムであって、任意的にキャリア媒体に担われ、前記キャリア媒体は好ましくは記録媒体または送信媒体であるコンピュータプログラム。
【図１０】
2010045787.tif 000004
【図１１】
2010045787.tif 000005
【図１２】
2010045787.tif 000006
【図１３】
2010045787.tif 000007
【図１４】
2010045787.tif 000008
【図１５】
2010045787.tif 000009
【図１６】
2010045787.tif 000010
【図１】
2010045787.tif 000011
【図２】
2010045787.tif 000012
【図３】
2010045787.tif 000013
【図４】
2010045787.tif 000014
【図５】
2010045787.tif 000015
【図６】
2010045787.tif 000016
【図７】
2010045787.tif 000017
【図８】
2010045787.tif 000018
【図９】
2010045787.tif 000019